(57)【要約】【課題】材質や形状を変更することにより、洗面カウンターの側壁部の強度を担保するための最低限必要な厚みが異なったとしても、洗面キャビネット側に設けられる位置決め部材の位置調整又は位置決め部材を内形寸法に合わせて用意する必要のない洗面カウンターの取付構造を提供することを目的としている。【解決手段】本発明における洗面カウンターの取付構造は、洗面キャビネットと、前記洗面キャビネットの上部に載置される洗面カウンターとを取付けるための洗面カウンターの取付構造において、前記洗面キャビネットは、一対の側板を有し、前記洗面カウンターは、前記洗面カウンターの左右方向における外縁に一対の側壁部を有し、前記一対の側板の上端面には、位置決め部材が設けられているとともに、前記一対の側壁部の内面側には、位置決め部材を当接させるための凹み部が形成されている。【選択図】図４
2019130082.tif 000002
【特許請求の範囲】
【請求項１】
洗面キャビネットと、前記洗面キャビネットの上部に載置される洗面カウンターとを
取付けるための洗面カウンターの取付構造において、
前記洗面キャビネットは、一対の側板を有し、
前記洗面カウンターは、前記洗面カウンターの左右方向における外縁に一対の側壁部を有し、
前記一対の側板の上部には、位置決め部材が設けられているとともに、前記一対の側壁部の内面側には、位置決め部材を当接させるための凹み部が形成されていることを特徴とする洗面カウンターの取付構造。
【請求項２】
前記位置決め部材は、前記洗面カウンターの硬度よりも低くなるように構成された請求項１記載の洗面カウンターの取付構造。
【発明の詳細な説明】
【技術分野】
【０００１】
本発明の態様は、洗面キャビネットと、その洗面キャビネットの上に載置される洗面カウンターと、を取付けるための取付構造に関する。
【背景技術】
【０００２】
一般的に、洗面台は洗面キャビネットの上部に洗面カウンターを載置して取付けられている。
その際、左右方向における洗面キャビネットに対する洗面カウンターの位置決め及びズレ防止のために、洗面キャビネットの側壁上部に位置決め部材が設けられている。
【０００３】
例えば、特許公報第３７４３２７８号（以下、特許文献１）のように洗面キャビネットの側壁の上部にＬ字型の位置決め部材を設け、洗面カウンターと洗面キャビネットとの左右方向における位置決め及びズレ止めをしている構成が知られている。
【０００４】
その一方で近年、デザインの多様性が求められ洗面キャビネットはそのままで洗面カウンターのみ取り替えたいお客様の声や、メンテナンス時に同一形状品ではなく類似形状品でも互換性を持たせたいという事情から洗面キャビネットに対し、材質や形状の異なる洗面カウンターであっても取付可能としたいという動きがある。
【先行技術文献】
【特許文献】
【０００５】
【特許文献１】特許公報第３７４３２７８号
【発明の概要】
【発明が解決しようとする課題】
【０００６】
この場合、材質や形状の異なる洗面カウンターは設置する空間の間取りなどに合わせ外形寸法を定めると、洗面カウンターの左右方向外縁に位置する側壁部は、材質や形状ごとに強度を担保するための最低限必要な厚みが異なるため、洗面カウンターの外形寸法が同じであっても内形寸法である一対の側壁部の内面同士の間隔が異なる。
【０００７】
しかしながら、特許文献１の構造では、洗面キャビネットに対し洗面カウンターを載置する際に、一対の洗面キャビネットの側壁の上部に設けられている位置決め部材同士の間隔より狭い側壁部同士の間隔を有する洗面カウンターを洗面キャビネットに載置しようとすると、洗面カウンターの側壁部の下面が位置決め部材の上部に接触することにより、取付を行うことができない。
そのため、位置決め部材を洗面カウンターの側壁部の内面同士の間隔に合わせて位置調整する又は新たにサイズの異なる位置決め部材を用意する必要が発生してしまうという課題がある。
【０００８】
本発明は、かかる課題の認識に基づいてなされたものであり、材質や形状を変更することにより、洗面カウンターの側壁部の強度を担保するための最低限必要な厚みが異なったとしても、洗面キャビネット側に設けられる位置決め部材の位置調整又は位置決め部材を内形寸法に合わせて用意する必要のない洗面カウンターの取付構造を提供することを目的とする。
【課題を解決するための手段】
【０００９】
前記目的を達成するために構成された本発明によれば、洗面キャビネットと、前記洗面キャビネットの上部に載置される洗面カウンターとを取付けるための洗面カウンターの取付構造において、前記洗面キャビネットは、一対の側板を有し、前記洗面カウンターは、前記洗面カウンターの左右方向における外縁に一対の側壁部を有し、前記一対の側板の上部には、位置決め部材が設けられているとともに、前記一対の側壁部の内面側には、位置決め部材を当接させるための凹み部が形成されていることを特徴としている。
【００１０】
この洗面カウンターの取付構造によれば、凹み部に洗面キャビネットの側壁の上面に設けられた位置決め部材を当接させることで左右方向の位置決め及びズレ止めを行うことが可能となる。
そのため、例えば、洗面キャビネットはそのまま利用し洗面カウンターのみを異なる材質や形状に取り替える場合、洗面カウンターの側壁部の強度を担保するための最低限必要な厚みが異なることにより、一対の側壁部の内面同士の間隔が小さくなったとしても洗面キャビネットの上面に設けられた位置決め部材のサイズの変更や位置決め部材の左右方向における細かい位置調整が不要である。
【００１１】
本発明において、好ましくは、さらに、前記位置決め部材は、前記洗面カウンターの硬度よりも低くなるように構成されている。
【００１２】
この洗面カウンターの取付構造によれば、洗面カウンターの側壁部が周囲の側壁部よりも薄くなっている凹み部に位置決め部材を当接させた場合においても、洗面カウンターよりも位置決め部材の方が、硬度が低いため洗面カウンターの破損を抑制することができる。
【発明の効果】
【００１３】
本発明の態様によれば、凹み部に洗面キャビネットの側板の上面に設けられた位置決め部材を当接させることで左右方向の位置決め及びズレ止めを行うことが可能となる。
そのため、例えば、洗面キャビネットはそのまま利用し洗面カウンターのみを異なる材質や形状に取り替える場合、洗面カウンターの側壁部の強度を担保するための最低限必要な厚みが異なることにより、一対の側壁部の内面同士の間隔が小さくなったとしても洗面キャビネットの側板の上面に設けられた位置決め部材のサイズの変更や位置決め部材の左右方向における細かい位置調整が不要である。
【図面の簡単な説明】
【００１４】
【図１】本発明の実施形態における洗面化粧台の外観斜視図である。
【図２】本発明の実施形態における洗面カウンターを背面から見た外観斜視図である。
【図３】本発明の実施形態における位置決め部材を表す模式的斜視図である。
【図４】本発明の実施形態における洗面カウンターの取付構造を表す模式的斜視図である。
【図５】本発明の実施形態における洗面キャビネットの側板の上面を表す模式的斜視図である。
【発明を実施するための形態】
【００１５】
以下、本発明の実施形態について図面を参照しつつ説明する。なお、各図面中、同様の構成要素には同一の符号を付して詳細な説明は適宜省略する。
図１は、本発明の実施形態における洗面化粧台の外観斜視図である。
【００１６】
図１に示すように、洗面化粧台１の高さ方向をｚ軸方向としている。このｚ軸に直交する平面に沿ってｘ軸及びｙ軸を定義し、洗面化粧台１の奥行き方向に沿った方向をｙ軸方向とし、洗面化粧台１の幅方向（左右方向）に沿った方向をｘ軸方向としている。洗面化粧台１は、洗面カウンター１０と、洗面キャビネット２０と、ミラーキャビネット６０と、を備えている。
【００１７】
洗面キャビネット２０は床上に設置されている。洗面キャビネット２０の上部に、洗面カウンター１０が載置されている。洗面キャビネット２０には、幅方向両端に側板２２が一対設けられている。一対の側板２２及び図示しない中仕切り板に支持されて、扉２１が設けられている。洗面キャビネット２０は、主に木製の板状部材を組み合わせて形成される。
【００１８】
洗面カウンター１０は、天板部１１と、側壁部１２ａ，１２ｂ,１２ｃと、洗面ボウル部１４と、バックガード部１６とを有している。側壁部１２ａは、天板部１１の幅方向両端（外縁）に設けられている。側壁部１２ｂは、天板部１１の前面側端に設けられている。側壁部１２ｃは、バックガード部１６の幅方向両端に設けられている。天板部１１は、その上面が天面１１ａとして形成されている。側壁部１２ａ，１２ｂは、天板部１１から天面１１ａとは反対側の第１方向（ｚ軸の負方向）に延びている。側壁部１２ｃは、バックガード部１６からバックガードの背面方向（ｙ軸の正方向）に延びている。洗面ボウル部１４は、一対の天板部１１の間に設けられている。バックガード部１６には、水栓金具４０が取り付けられている。洗面カウンター１０は、樹脂製の材料で形成され、洗面キャビネット２０の上部に載置されるものである。
【００１９】
洗面カウンター１０の上部には、ミラーキャビネット６０が取り付けられている。ミラーキャビネット６０の前面には、３つのミラー付の片開き扉６１が備えられている。ミラーキャビネット６０の内部には空間が形成され、収納空間として利用することができる。
なお、ミラーキャビネット６０は必ずしも設ける必要はない。
【００２０】
次に、図２を用いて、本発明における洗面カウンターについて説明する。
図２（ａ）は、本発明の実施形態における洗面カウンターを背面から見た外観斜視図である。図２（ｂ）は、図２（ａ）における凹み部の詳細を表す斜視図である。
【００２１】
図２に示すように、洗面カウンター１０は、一対の側壁部１２ｃの内面側に外面側（反対面側）に向かって窪みが形成された凹み部１３を夫々有している。
この凹み部１３は、部分的に設けられており、強度の観点から凹み部１３の面積は小さい方が好ましい。
なお、バックガード１６は必ずしも設ける必要はなく、凹み部１３は側壁部１２aに設けられていてもよい。
【００２２】
また、凹み部１３は周囲の側壁部（側壁部１２ｃ）に対して、徐々に外面側に向かって窪むように形成されている。換言すると、周囲の側壁部１２ｃと凹み部１３との境界部には角が形成されていない。
【００２３】
次に、図３乃至図５を用いて、位置決め部材３０を利用した洗面カウンターの側壁部１２ｃと洗面キャビネットの側板２２との取付構造を説明する、
図３は、本発明の実施形態における位置決め部材を表す斜視図である。
図４は、本発明の実施形態における洗面カウンターの取付構造を表す斜視図である。
図５は、本発明の実施形態における洗面キャビネットの側板の上面を表す斜視図である。
【００２４】
図３に示すように、位置決め部材３０は樹脂製のダボである。
位置決め部材３０は、ヘッド部３１と、フランジ部３２と、ヘッド部３１とフランジ部３２とを繋ぐ支持部３３と、挿入部３４と、を有している。
ヘッド部３１は、支持部３３に対して径が大きく設けられている。
具体的には、ヘッド部３１の外径Ｄ２と、支持部３３の外径Ｄ１との関係は、Ｄ２＞Ｄ１となっている。
【００２５】
ヘッド部３１の外径Ｄ２を、支持部の外径Ｄ１より大きく設けていることにより、凹み部１３には、ヘッド部３１のみが当接する。
この構成により、凹み部１３と位置決め部材３０との接触面は小さく抑えつつ、凹み部１３との接触面の高さを高い位置に確保することが可能となる。
そのため、図４に示すように、洗面キャビネット２０に対し、洗面カウンター１０を取り付ける際に、洗面カウンターの側壁部１２ｃが左右方向の位置決めを行うため左右方向に動かしたとしても、位置決め部材３０を乗り越えることを抑制できるとともに、周囲の側壁部１２ｃよりも薄くなっている凹み部１３が破損することを抑制できる。
【００２６】
この位置決め部材３０は、洗面キャビネット２０の側板２２の上面（上部）にダボ孔２２ａ（図５参照）を設け、ダボ孔２２ａに挿入して使用される。
具体的には、ダボ孔２２ａに対し、挿入部３４を挿入しフランジ部３２の下面が側板２２の上面に当接させる。
【００２７】
また、位置決め部材３０は、不飽和ポリエステルなどの熱硬化性樹脂である洗面カウンターに対し、ポリプロピレンやポリエチレンなど熱可塑性樹脂である。
そのため、位置決め部材３０は、側壁部１２ｃより硬度が低い。
本願明細書において、「硬度」とは、「硬さ」と同等であり、例えばビッカース硬さ試験（ＪＩＳ  Ｚ  ２２４４）、ブリネル硬さ試験（ＪＩＳ  Ｚ  ２２４３）、あるいはロックウェル硬さ（ＪＩＳ  Ｚ  ２２４５）などに基づいて測定可能な値をいう。
【００２８】
以上、説明したように、本実施形態に係る洗面カウンターの取付構造によれば、凹み部１３に洗面キャビネットの側板２２の上面に設けられた位置決め部材３０を当接させることで左右方向の位置決め及びズレ止めを行うことが可能となる。
そのため、例えば、洗面キャビネット２０はそのまま利用し洗面カウンター１０のみを異なる材質や形状に取り替える場合、洗面カウンターの側壁部１２ｃの強度を担保するための最低限必要な厚みが異なることにより、一対の側壁部１２ｃの内面同士の間隔が小さくなったとしても洗面キャビネット２０の上面に設けられた位置決め部材３０のサイズの変更や位置決め部材３０の左右方向における細かい位置調整が不要である。
【００２９】
また、この洗面カウンターの取付構造によれば、洗面カウンターの側壁部１２ｃが周囲の側壁部１２ｃよりも薄くなっている凹み部１３に位置決め部材３０を当接させた場合においても、洗面カウンター１０よりも位置決め部材３０の方が硬度が低いので、洗面カウンター１０の破損を抑制することができる。
【００３０】
以上、本発明に係る洗面化粧台１の実施の形態について説明したが、本発明はこれらの実施の具体例に限定されるものではない。
本発明において、凹み部１３は側壁部１２ｃの下端周辺より上方に部分的に設けられていてもよい。また、位置決め部材は３０、木製のダボや金属製の金具を用いてもよい。
また、これら具体例に、当業者が適宜設計変更を加えたものも、本発明の特徴を備えて
いる限り、本発明の範囲に包含される。例えば、前述した各具体例が備える各要素および
その配置、材料、条件、形状、サイズなどは、例示したものに限定されるわけではなく適
宜変更することができる。
【符号の説明】
【００３１】
１：洗面化粧台
１０：洗面カウンター
１１：天板部
１２ａ、１２ｂ、１２ｃ：側壁部
１３：凹み部
１４：洗面ボウル部
１６：バックガード部
２０：洗面キャビネット
２１：扉
２２：側板
２２ａ：ダボ孔
３０：位置決め部材
３１：ヘッド部
３２：フランジ部
３３：支持部
３４：挿入部
４０：水栓金具
６０：ミラーキャビネット
６１：扉
【図１】
2019130082.tif 000003
【図２】
2019130082.tif 000004
【図３】
2019130082.tif 000005
【図４】
2019130082.tif 000006
【図５】
2019130082.tif 000007